(57)【要約】【課題】  どのような形状のフレ止め部材にも適用でき、方向性を全く考慮することのない低コストな万能型のフレ止め装置付金属製角型柱を提供する。【解決手段】  中空な金属製四角柱１の相対向する二面５，６に、フレ止め部材１１を挿入支持するための切欠開口９，１０をそれぞれ形成するとともに、該切欠開口９，１０に、前記フレ止め部材１１を位置決めする位置決め部１３，１３をそれぞれ設け且つ前記切欠開口９，１０の周縁部に、前記フレ止め部材１１の移動を規制する移動規制手段１５を取り付けて、切欠開口９，１０の周縁部に移動規制手段１５を取り付けるだけで、前記切欠開口９，１０の位置決め部１３，１３に位置決めされたフレ止め部材１１の移動が規制されるようにしている。【選択図】        図１
2006112098.tif 000002
【特許請求の範囲】
【請求項１】
中空な金属製四角柱（１）の相対向する二面（５），（６）には、フレ止め部材（１１）を挿入支持するための切欠開口（９），（１０）がそれぞれ形成されており、該切欠開口（９），（１０）には、前記フレ止め部材（１１）を位置決めする位置決め部（１３），（１３）がそれぞれ設けられるとともに、前記切欠開口（９），（１０）の周縁部には、前記フレ止め部材（１１）の移動を規制する移動規制手段（１５）が取り付けられていることを特徴とするフレ止め装置付金属製角型柱。
【請求項２】
前記移動規制手段（１５）は、前記フレ止め部材（１１）の移動を規制する移動規制部（１６）と、該移動規制部（１６）の両側から前記切欠開口（９），（１０）の口縁に向かって一体に突設された嵌挿固定片（１７），（１７）とからなり、前記切欠開口（９），（１０）の両側周縁部には、前記嵌挿固定片（１７），（１７）を嵌挿するための一対の嵌挿穴（１４），（１４）がそれぞれ形成されていることを特徴とする前記請求項１記載のフレ止め装置付金属製角型柱。
【請求項３】
前記移動規制部（１６）と前記フレ止め部材（１１）との間には、若干の隙間（Ｓ）が保持されていることを特徴とする前記請求項２記載のフレ止め装置付金属製角型柱。
【発明の詳細な説明】
【技術分野】
【０００１】
本願発明は、建築物の内装および外装工事において金属製下地材として使用されるフレ止め装置付金属製角型柱に関するものである。
【背景技術】
【０００２】
建築物の内装工事に使用される金属製下地材として一般的に普及しているものは、日本工業規格ＪＩＳＡ６５１７建築用鋼製下地材（壁、天井）に規定されており、壁材として規定されているスタッドとしては、断面コの字状を呈しているものが知られている。この壁材用スタッドは、三面は金属に囲まれているが、残る一面は開放部分となっているため、開放部分の対面する面に単独または複数個のフレ止め通し穴を設け、フレ止め用のチャンネルをこれに通して下地材の補強をしなくては使用できないという不具合があった。
【０００３】
この開放部分は、別の部材であるスペーサを嵌め込んではずれないようにするため、コの字形状の端部が互いに内側に向くようにオーバーベンド形状にしている。
【０００４】
このオーバーベンド形状にされた面は、両面とも当然ボード貼り面となるので、そのために開放部分にオーバーベンドを矯正するスペーサが嵌め込まれるが、スペーサが嵌め込まれる部分は点であり、それ以外の部分ではオーバーベンドの状態のままになっている。この場合、オーバーベンド状態のままとなっている部分にボードとボードとの継ぎ目がくると、継ぎ目に段差ができる目違いが生ずるという不具合もある。
【０００５】
そこで、本出願人は、中空な金属製四角柱の相対向する二面に、フレ止め用のチャンネルを嵌合するためのチャンネル嵌合溝を下端に有する正面側切欠開口と、該正面側切欠開口と相対向する裏面側切欠開口とをそれぞれ形成するとともに、該裏面側切欠開口の片側口縁に、該片側口縁を折曲部として開閉自在とされ且つ閉止時に前記チャンネルの上面に圧接される圧接舌部を有する圧接固定片を一体に突設した構成のフレ止め装置付金属製角型柱について出願している（特許文献１参照）。
【０００６】
【特許文献１】特開平８−２１８５２０号公報。
【発明の開示】
【発明が解決しようとする課題】
【０００７】
しかしながら、上記特許文献１に開示されている技術の場合、圧接固定片の閉止時に圧接舌部とチャンネル上面との圧接により大きな上向きの力が圧接固定片に作用する場合があり、圧接固定片が上向きに変形してしまって、チャンネルを確実に圧接固定できない場合が生ずるおそれがある。また、上記特許文献１に開示されている技術の場合、チャンネルの形状によってはフレ止めが行えない場合が生じたり、チャンネルの姿勢に自由度がなく、方向性が限定されてしまうという問題がある。また、板厚が厚い場合には、圧接固定片の折曲部の剛性が高くなり、手で開閉することが難しくなるという不具合が生ずるおそれがある。
【０００８】
本願発明は、上記の点に鑑みてなされたもので、どのような形状のフレ止め部材にも適用でき、方向性を全く考慮することのない低コストな万能型のフレ止め装置付金属製角型柱を提供することを目的とするものである。
【課題を解決するための手段】
【０００９】
本願発明では、上記課題を解決するための第１の手段として、中空な金属製四角柱１の相対向する二面５，６に、フレ止め部材１１を挿入支持するための切欠開口９，１０をそれぞれ形成するとともに、該切欠開口９，１０に、前記フレ止め部材１１を位置決めする位置決め部１３，１３をそれぞれ設け且つ前記切欠開口９，１０の周縁部に、前記フレ止め部材１１の移動を規制する移動規制手段１５を取り付けている。
【００１０】
上記のように構成したことにより、切欠開口９，１０の周縁部に移動規制手段１５を取り付けるだけで、前記切欠開口９，１０の位置決め部１３，１３に位置決めされたフレ止め部材１１の移動が規制されることとなり、切欠開口９，１０の形状およびフレ止め部材１１の断面形状にかかわらず、フレ止め部材１１と金属製四角柱１とを強固に結合させることができる。
【００１１】
本願発明では、さらに、上記課題を解決するための第２の手段として、上記第１の手段を備えたフレ止め装置付金属製角型柱において、前記移動規制手段１５を、前記フレ止め部材１１の移動を規制する移動規制部１６と、該移動規制部１６の両側から前記切欠開口９，１０の口縁に向かって一体に突設された嵌挿固定片１７，１７とによって構成するとともに、前記切欠開口９，１０の両側周縁部に、前記嵌挿固定片１７，１７をそれぞれ嵌挿するための一対の嵌挿穴１４，１４を形成することもでき、そのように構成した場合、切欠開口９，１０の周縁部に形成された嵌挿穴１４，１４に対して嵌挿固定片１７，１７をそれぞれ嵌挿するだけで、フレ止め部材１１を切欠開口９，１０の周縁部に対して移動規制手段１５の取付が行えることとなり、作業性が向上する。
【００１２】
本願発明では、さらに、上記課題を解決するための第３の手段として、上記第２の手段を備えたフレ止め装置付金属製角型柱において、前記移動規制部１６と前記フレ止め部材１１との間に、若干の隙間Ｓを保持することもでき、そのように構成した場合、フレ止め部材１１あるい移動規制手段１５における移動規制部１６に少しの寸法誤差が発生していたとしても、隙間Ｓの存在により移動規制手段１５の取付を容易に行えるとともに、フレ止め部材１１の移動規制を確実に行うことができる。
【発明の効果】
【００１３】
本願発明の第１の手段によれば、中空な金属製四角柱１の相対向する二面５，６に、フレ止め部材１１を挿入支持するための切欠開口９，１０をそれぞれ形成するとともに、該切欠開口９，１０に、前記フレ止め部材１１を位置決めする位置決め部１３，１３をそれぞれ設け且つ前記切欠開口９，１０の周縁部に、前記フレ止め部材１１の移動を規制する移動規制手段１５を取り付けて、切欠開口９，１０の周縁部に移動規制手段１５を取り付けるだけで、前記切欠開口９，１０の位置決め部１３，１３に位置決めされたフレ止め部材１１の移動が規制されるようにしたので、切欠開口９，１０の形状およびフレ止め部材１１の断面形状にかかわらず、フレ止め部材１１と金属製四角柱１とを強固に結合させることができるという効果がある。
【００１４】
本願発明の第２の手段におけるように、上記第１の手段を備えたフレ止め装置付金属製角型柱において、前記移動規制手段１５を、前記フレ止め部材１１の移動を規制する移動規制部１６と、該移動規制部１６の両側から前記切欠開口９，１０の口縁に向かって一体に突設された嵌挿固定片１７，１７とによって構成するとともに、前記切欠開口９，１０の両側周縁部に、前記嵌挿固定片１７，１７をそれぞれ嵌挿するための一対の嵌挿穴１４，１４を形成することもでき、そのように構成した場合、切欠開口９，１０の周縁部に形成された嵌挿穴１４，１４に対して嵌挿固定片１７，１７をそれぞれ嵌挿するだけで、フレ止め部材１１を切欠開口９，１０の周縁部に対して移動規制手段１５の取付が行えることとなり、作業性が向上する。
【００１５】
本願発明の第３の手段におけるように、上記第２の手段を備えたフレ止め装置付金属製角型柱において、前記移動規制部１６と前記フレ止め部材１１との間に、若干の隙間Ｓを保持することもでき、そのように構成した場合、フレ止め部材１１あるい移動規制手段１５における移動規制部１６に少しの寸法誤差が発生していたとしても、隙間Ｓの存在により移動規制手段１５の取付を容易に行えるとともに、フレ止め部材１１の移動規制を確実に行うことができる。
【発明を実施するための最良の形態】
【００１６】
以下、添付の図面を参照して、本願発明の幾つかの好適な実施の形態について説明する。
【００１７】
第１の実施の形態
図１ないし図３には、本願発明の第１の実施の形態にかかるフレ止め装置付金属製角型柱が示されている。
【００１８】
このフレ止め装置付金属製角型柱は、図１に示すように、所定の幅に切断された金属板をその両端がコーナの一点において接するように四角筒状に折曲して構成された中空な金属製四角柱１によって構成されている。
【００１９】
そして、前記金属板の一方の端部には、前記金属製四角柱１の内側に折曲され、さらにその先端部が外側に向かって折曲されてなる逆Ｊ字状折曲部３が設けられ、前記金属板の他方の端部には、内側に逆Ｕ字状に折曲されてなる逆Ｕ字状折曲部４が設けられており、両者を連続して嵌合圧着せしめて上下方向に連続するコーナ型接続部２として成形されている。そして、該コーナ型接続部２における逆Ｕ字状折曲部４の基端から内側に向かってコの字状に突出するリブ１２が上下方向に連続して形成されている。このように構成したことにより、金属製四角柱１のいずれの四面５〜８を、後述する切欠開口形成部およびボード貼付面として選択することが可能となる、また、コーナ型接続部２の外れを前記リブ１２により防止できるとともに金属製四角柱１の剛性強化も図れる。
【００２０】
前記金属製四角柱１の四面５〜８のうち一方の相対向する二面５，６は正面および裏面とされ、該正面５と裏面６の横方向ほぼ中央部には、例えば断面コの字状の金属製のフレ止め部材１１を挿入するための略矩形形状の切欠開口９，１０がそれぞれ形成されている。該切欠開口９，１０は、同形状であって、フレ止め部材１１がどのような姿勢でも挿入できる大きさとされており、正面側切欠開口９および裏面側切欠開口１０の口縁には、前記フレ止め部材１１が位置決めされる位置決め部１３，１３がそれぞれ形成されている。つまり、金属製四角柱１を上下逆に使用した場合であっても、フレ止め部材１１が位置決め部１３に位置決めされ得るようになっているのである。なお、前記位置決め部１３として、切欠開口９，１０の口縁そのものを採用するようにしてもよい。
【００２１】
前記両切欠開口９，１０の周縁部における幅方向両側には、後述する移動規制手段１５の嵌挿固定片が嵌挿される縦長の嵌挿穴１４，１４が形成されている。
【００２２】
この金属製四角柱１には、前記フレ止め部材１１が切欠開口９，１０の位置決め部１３から移動するのを規制する移動規制手段１５が取り付けられる。
【００２３】
前記移動規制手段１５は、前記フレ止め部材１１が前記切欠開口９，１０の位置決め部１３から移動するのを規制する矩形形状の移動規制部１６と、該移動規制部１６の両側端部から背面側（換言すれば、前記切欠開口９，１０の口縁）に向かって一体に突設され且つ前記嵌挿穴１４，１４に嵌挿される嵌挿固定片１７，１７とによって構成されている。
【００２４】
前記各嵌挿固定片１７は、先端に向かって細くなる楔形状を有しており、基端部１７ａの上下幅が前記嵌挿穴１４の縦寸法と稍小さいかほぼ同じとされている。また、前記各嵌挿固定片１７には、外向きに切り起こされた弾性片１８がそれぞれ形成されており、前記嵌挿固定片１７を前記嵌挿穴１４に嵌挿したとき、前記弾性片１８の自由端が前記嵌挿穴１４の口縁内面に当接されて嵌挿固定片１７が固定されることとなっている。
【００２５】
また、前記移動規制手段１５の取付状態においては、移動規制部１６とフレ止め部材１１との間には、若干の隙間Ｓが保持されることとなっている。このようにすると、フレ止め部材１１あるい移動規制手段１５における移動規制部１６に少しの寸法誤差が発生していたとしても、隙間Ｓの存在により移動規制手段１５の取付を容易に行えるとともに、フレ止め部材１１の移動規制を確実に行うことができる。
【００２６】
次に、上記構成の金属製角型柱を壁面下地材として使用する場合について具体的に説明する。
【００２７】
まず、図３に示すように、例えば天井スラブ面と床面とにコの字状のランナー１９，１９をそれらの開放側が対向するようにして配設する。
【００２８】
次に、上記構成の複数の金属製四角柱１，１・・の上下端を上下のランナー１９，１９に嵌め込んでいき、金属製四角柱１，１・・をランナー１９，１９の流れ方向（即ち、図３の矢印Ａ，Ｂ方向）に所定間隔で建て込む。このようにすると、ランナー１９，１９のスパン方向に平行して各金属製四角柱１におけるボード貼付面７，８が並ぶこととなる。
【００２９】
しかる後、フレ止め部材１１を各金属製四角柱１の切欠開口９，１０に次々に挿入し、位置決め部１３に位置決めする。次に、各金属製四角柱１における正面５あるいは（および）裏面６に形成された嵌挿穴１４，１４に対して移動規制手段１５における嵌挿固定片１７，１７を指力により嵌挿して、移動規制手段１５を取り付ける。すると、各嵌挿固定片１７は、弾性片１８の嵌挿穴１４の内面側口縁への当接により固定される。この状態においては、フレ止め部材１１は移動規制部１６によって位置決め部１３からの移動が規制されるとともに、幅方向への移動は位置決め部１３により規制されることとなる。
【００３０】
なお、金属製四角柱１に複数対の切欠開口９，１０が形成されている場合には、上記作業を複数回繰り返す。
【００３１】
上記したようにしてフレ止め部材１１を組み付けると、フレ止め部材１１は、移動規制手段１５における移動規制部１６によって上方への移動が規制されるとともに、位置決め部１３によって横方向の移動が規制されることとなり、金属製四角柱１，１・・相互間がフレ止め部材１１により強固に連結されることとなる。この状態においては、金属製四角柱１，１・・のランナースパン方向およびランナースパン方向と直交する方向へのユレが完全に防止されることとなり、堅牢な壁面下地構造が仕上がる。
【００３２】
その後、ボード貼付面７，８のいずれかあるいは両方に対してドライウォールスクリュー（小ビス）を用いて上貼り用のボード２０が張設されるが、金属製四角柱１，１・・がフレ止め部材１１による連結性確保によってユレ防止された堅牢な壁面下地構造が得られているところから、ボード貼付作業が極めて迅速且つ確実に行えるのである。
【００３３】
なお、金属製四角柱１の正面５および裏面６に移動規制手段１５を取り付けるようにした場合、切欠開口９，１０は、矩形以外の各種形状（例えば、三角形、四角形、六角形等の多角形、楕円形等）とすることができる。しかも、切欠開口９，１０の形状およびフレ止め部材１１の断面形状にかかわらず、移動規制手段１５の形状を若干変更するだけで、フレ止め部材１１を確実に固定することができる。
【００３４】
なお、フレ止め部材１１は、図４に示すように、開放側が上向きとなるように切欠開口９，１０に挿通する場合もある。この場合にも、移動規制手段１５によるフレ止め部材１１の移動規制を確保できる。
【００３５】
第２の実施の形態
図５および図６には、本願発明の第２の実施の形態にかかるフレ止め装置付金属製角型柱が示されている。
【００３６】
この場合、位置決め部１３には、位置決め時にフレ止め部材１１の側面に圧接される円弧形状の突部１３ａが形成されている。このようにすると、フレ止め部材１１の位置決めをより確実に行うことができる。その他の構成および作用効果は、第１の実施の形態におけると同様なので説明を省略する。
【００３７】
第３の実施の形態
図７には、本願発明の第３の実施の形態にかかるフレ止め装置付金属製角型柱が示されている。
【００３８】
この場合、金属製四角柱１は、所定幅に切断された金属板をその両端が四面のうちの一面の角寄り位置において接するように四角筒状に折曲して構成されており、前記金属板の両端部には、四角柱１の内側および外側に向かってＵ字状に折曲されてなるＵ字状折曲部２１，２１が設けられ、両者を連続して嵌合圧着せしめて長手方向に連続する平面型接続部２２として形成されている。その他の構成および作用効果は、第１の実施の形態におけると同様なので説明を省略する。
【００３９】
なお、上記各実施の形態においては、金属製四角柱１における正面側および裏面側切欠開口９，１０の周縁に嵌挿穴１４，１４を形成するようにしているが、どちらか一方の周縁に嵌挿穴１４，１４を形成する場合もある。
【００４０】
また、上記各実施の形態においては、フレ止め部材１１を、断面コ字状の部材により構成しているが、その他の形状（例えば、断面Ｈ型のもの等）のものとする場合もある。
【図面の簡単な説明】
【００４１】
【図１】本願発明の第１の実施の形態にかかるフレ止め装置付金属製角型柱の部分分解斜視図である。
【図２】本願発明の第１の実施の形態にかかるフレ止め装置付金属製角型柱の正面図である。
【図３】本願発明の第１の実施の形態にかかるフレ止め装置付金属製角型柱を用いた壁面下地構造を示す部分斜視図である。
【図４】本願発明の第１の実施の形態にかかるフレ止め装置付金属製角型柱の変形例を示す正面図である。
【図５】本願発明の第２の実施の形態にかかるフレ止め装置付金属製角型柱の部分分解斜視図である。
【図６】本願発明の第２の実施の形態にかかるフレ止め装置付金属製角型柱の正面図である。
【図７】本願発明の第３の実施の形態にかかるフレ止め装置付金属製角型柱の部分分解斜視図である。
【符号の説明】
【００４２】
１は金属製四角柱、５は正面、６は裏面、９は正面側切欠開口、１０は裏面側切欠開口、１１はフレ止め部材、１３は位置決め部、１４は嵌挿穴、１５は移動規制手段、１６は移動規制部、１７は嵌挿固定片。
【図１】
2006112098.tif 000003
【図２】
2006112098.tif 000004
【図３】
2006112098.tif 000005
【図４】
2006112098.tif 000006
【図５】
2006112098.tif 000007
【図６】
2006112098.tif 000008
【図７】
2006112098.tif 000009